(57)【要約】【課題】表示装置寿命の向上及び電気使用量の低減を実現することができ、また、監視員の人数に適合した映像表示方式を自動で切り替えるため、効率の良い監視作業が可能とする監視カメラシステム。【解決手段】監視員が映像表示装置を使用して監視エリア内を監視する監視カメラシステムにおいて、映像監視を行う監視員が存在するか否かにより、映像表示装置の電源のオン／オフを自動制御する機能を保有する。また、監視員の人数により表示画面の形式及び電源オンの台数を自動制御する機能を有することを特徴とする。【選択図】図１
2011239025.tif 000002
【特許請求の範囲】
【請求項１】
監視エリア内を撮像する監視カメラと、前記監視カメラが撮像する映像をネットワーク回線を介して受信する監視局とからなる監視カメラシステムにおいて、
前記監視局は、前記映像を表示する複数の表示装置と、複数の存在エリアそれぞれで監視員が存在するか不在であるかを検出するセンサと、前記センサによって検出された監視員情報に基づいて当該監視員情報を出力する情報処理部と、前記情報処理部から出力される前記簡易員情報に基づいて前記複数の表示装置のいずれかに前記映像を出力する表示装置制御部とを備え、
前記センサが監視員の存在を検出した存在エリアに割り当てられた表示装置の電源をオンすることを特徴とする監視カメラシステム。
【発明の詳細な説明】
【技術分野】
【０００１】
本発明は、監視カメラシステムに関わり、特に、監視カメラシステムの表示技術に関する。
【背景技術】
【０００２】
ＣＣＴＶ（ Closed Circuit Tele-Vision ）システム等の監視カメラシステムでは、監視局から、遠隔若しくは複数の監視エリア内を監視するために、複数の監視カメラシステムが使用される。また、１つのシステムにおいて、設置される監視カメラシステムの台数やモニタの台数は、監視されるエリアの規模に応じて定められる。そして、必用に応じて増減、並びに、設置場所の変更及びプリセットポジションの変更が行われる。例えば、設置される監視カメラが１００台、モニタが２０台で構成される監視カメラシステムがある。
【先行技術文献】
【特許文献】
【０００３】
【特許文献１】特開２００２−０７３２２２号公報
【発明の概要】
【発明が解決しようとする課題】
【０００４】
従来の監視カメラシステムでは、撮影した映像を表示する場合、監視員の有無を考慮することなく、表示装置の電源オンのままで状態を固定していた。このため、監視員がいない場合にも電源が投入された状態であり、非効率であった。また、監視員一人当たりが監視できる表示装置より多い数の表示装置を使用して監視する場合もあり、非効率であった。
特許文献１には、コンピュータ、テレビ等の対象機器の操作位置における着座の有無に応じて、通常モードと省電力モードを切替える制御装置が記載されている。しかし、対象機器の電源をオン／オフするものであり、オフした機器（表示装置）の映像内容を他の機器に表示させるものではない。
本発明は、上記の問題に鑑み、監視カメラシステムにおいて、検出される監視員の有無に応じて、対応する表示装置をオン／オフ制御すると共に、検出された監視員の検出情報に応じて表示装置の表示を切替えるため、効率の良い監視を可能とすることを目的とする。
【課題を解決するための手段】
【０００５】
上記の課題を解決するために、本発明の監視カメラシステムは、監視エリア内を撮像する監視カメラと、前記監視カメラが撮像する映像をネットワーク回線を介して受信する監視局とからなる監視カメラシステムにおいて、前記監視局は、前記映像を表示する複数の表示装置と、複数の存在エリアそれぞれで監視員が存在するか不在であるかを検出するセンサと、前記センサによって検出された監視員情報に基づいて当該監視員情報を出力する情報処理部と、前記情報処理部から出力される前記簡易員情報に基づいて前記複数の表示装置のいずれかに前記映像を出力する表示装置制御部とを備え、前記センサが監視員の存在を検出した存在エリアに割り当てられた表示装置の電源をオンするものである。
さらに上記発明の監視カメラシステムの監視局は、前記センサが監視員の不在を検出した存在エリアに割り当てられた表示装置の電源をオフするものである。
【発明の効果】
【０００６】
本発明により、表示装置寿命の向上及び電気使用量の低減を実現することができる。また、監視員の人数に適合した映像表示方式を自動で切り替えるため、効率の良い監視作業が可能となる。
【図面の簡単な説明】
【０００７】
【図１】本発明の監視カメラシステムの一実施例の構成を説明するためのブロック図である。
【図２】本発明の監視カメラシステムにおける監視局の一実施例の構成を示すブロック図である。
【図３】本発明の監視カメラシステムにおいて、監視局の存在エリアに監視員が存在するか不在かに応じて、表示装置に映像が表示される様子の一実施例を模式的に示した図である。
【発明を実施するための形態】
【０００８】
本発明は、監視カメラが撮像した映像を、監視員が映像表示装置を使用して監視エリア内を監視する監視カメラシステムにおいて、映像監視を行う監視員が存在するか否かにより、映像表示装置の電源のオン／オフを自動制御する機能を保有することを特徴とする。
好ましくは、監視員の人数により表示画面の形式及び電源オンの台数を自動制御する機能を有することを特徴とする。
以下、本発明の一実施形態を図面等を用いて説明する。なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
また、各図の説明において、共通な機能を有する構成要素には同一の参照番号を付し、できるだけ説明の重複を避けるため、説明を省略する。
【０００９】
図２によって、本発明の監視カメラシステムの一実施例を説明する。図２は、本発明の監視カメラシステムにおける監視局の一実施例の構成を示すブロック図である。２０１はセンサ部、２０２は情報処理部、２０３は表示装置制御部、２０４は表示装置である。
センサ部は、例えば、少なくとも、位置センサ、エリアセンサ、パッドセンサ、重量センサ、赤外線センサ、レーダ、等によって監視員の存在エリアを検知するセンサを備え、監視員が存在する存在エリアとして、例えば、監視員が座る椅子、監視員の位置等、監視員が監視のために存在する領域を検知範囲とする。
【００１０】
図２において、センサ部２０１は、定期的に所定の領域に監視員が存在するか否かを検出し、監視員情報として出力する。
例えば、センサ部２０１は、所定の領域に監視員が存在することを検出して、監視員情報として情報処理部２０２に出力する。情報処理部２０２は、監視員を検出されたとする監視員情報が入力された場合には、表示装置２０４の電源を投入するための制御信号を表示装置制御部２０３に出力する。表示制御装置２０３は、表示装置２０４の電源を投入するための制御信号が入力されたことに対応して、表示装置２０４の電源をオンにする。
【００１１】
また例えば、センサ部２０１は、所定の領域に監視員が存在していないこと（監視員の不在反応）を検出して、監視員情報として情報処理部２０２に出力する。情報処理部２０２は、監視員を検出されなかった（監視員不在）とする監視員情報が入力された場合には、表示装置２０４の電源を断にするための制御信号を表示装置制御部２０３に出力する。表示制御装置２０３は、表示装置２０４の電源を断にするための制御信号が入力されたことに対応して、表示装置２０４の電源をオフにする。
【００１２】
上記図２の実施例では、監視員の数は１人でも複数でも良い。また、表示装置の数も１台でも複数台でも同一のオン／オフ制御を実行している。
しかし、監視員の数に対応して、表示装置を複数のグループに分けてオン／オフ制御するようにしても良い。以下、その一実施例について、監視カメラシステム全体の構成と共に説明する。
【００１３】
図１は、本発明の監視カメラシステムの一実施例の構成を説明するためのブロック図である。図１の実施例は、監視局と複数の監視カメラを含めた、監視カメラシステムである。１１０−１〜１１０−ｍは監視エリア、１２０はネットワーク回線、１３０は監視局である。エリア１１０−１において、１１−１はハブ、１０−１１〜１０−１ｎは監視カメラである。監視エリア１１０−ｍにおいて、１１−ｍはハブ、１０−ｍ１〜１０−ｍｋは監視カメラである。また、監視局１３０において、３１は複数画面表示装置、３２は制御装置、３４は管理端末、３５−１と３５−２は監視員の存在エリア、３６−１は存在エリア３５−１のセンサ、３６−２は存在エリア３５−２のセンサ、３７は制御装置３２内の情報処理部、３８は制御装置３２内の表示装置制御部である。複数画面表示装置３１において、３１−１〜３１−８は個別の表示装置、３１−９は表示装置３１−１〜３１−８を載せ、監視員が必用な操作を行う表示装置卓である。ここで、ｎ、ｍ、ｋは、それぞれ自然数である。また、ｎ、ｍ、ｋは、同じ数値でも異なった数値でも良い。
【００１４】
また、監視カメラ１０−１１〜１０−１ｎ、・・・、監視カメラ１０−ｍ１〜１０−ｍｋは、例えば、ＩＰ（ Internet Protocol ）カメラで構成される。また、監視カメラ１０−１１〜１０−１ｎ、・・・、監視カメラ１０−ｍ１〜１０−ｍｋは、それぞれ、カメラユニットとして、撮像素子の他に、カメラハウジング、レンズ系、ヒータ、ファン、ワイパ、パンモータ、チルトモータ、照明装置、等の機能の一部若しくは全ての機能を備えている。またそれらの機能の制御、及びカメラユニットにおける種々の設定（露出、絞り、ホワイトバランス、蓄積モードのオン／オフ、等）を制御するためのＦＰＧＡ（ Field Programmable Gate Array ）、ＤＳＰ（ Digital Signal Processor ）、ＣＰＵ（ Central Processing Unit ）等からなる制御部を備える。また、監視カメラ１０−１１〜１０−１ｎ、・・・、監視カメラ１０−ｍ１〜１０−ｍｋの多くは、屋外監視用に設けられている。
【００１５】
監視エリア１００−１〜１００−ｍは、それぞれ、ハブ１１−１〜１１−ｍでネットワーク回線１２０と結合している。監視カメラ１０−１１〜１０−１ｎは、それぞれ、ハブ１１−１と結合し、ネットワーク回線１２０を介して、ネットワーク回線１２０と結合している監視局１３０等の他の機器と通信を行う。同様に、監視カメラ１０−ｍ１〜１０−ｍｋは、それぞれ、ハブ１１−ｍと結合し、ネットワーク回線１２０を介して、ネットワーク回線１２０と結合している他の機器と通信を行う。
【００１６】
監視局１３０には、例えば、管理サーバ３４、制御装置３２がある。なお、制御装置３２は、複数画面表示装置３１を制御し、ネットワーク回線１２０を介して、監視エリア１１０−１〜１１０−ｍから伝送される映像データを受信し、複数画面表示装置３１の表示装置３１−１〜３１−８のいずれかに表示させる。存在エリア３５−１に存在する監視員は、表示装置３１−１、３１−２、３１−５、及び３１−６に表示される画面を監視し、存在エリア３５−２に存在する監視員は、表示装置３１−３、３１−４、３１−７、及び３１−８に表示される画面を監視する。
例えば、図２のセンサ部２０１は、図１における、センサ３６−１及び３６−２であり、図２の情報処理部２０２は、制御装置３２内の情報処理部３７であり、図２の表示装置制御部２０３は、制御装置３２内の表示装置制御部３８である。
管理サーバ３４は、監視エリアのスケジュール管理や、システム全体の調整や制御を行う。
【００１７】
監視カメラ１０−１１〜１０−１ｎ、・・・、監視カメラ１０−ｍ１〜１０−ｍｋは、それぞれ、視野範囲内の被写体像を取得し、取得した被写体像を映像データに変換して、自監視エリア１１０−１乃至１１０−ｍ内のハブ１１−１乃至１１−ｍ、及びネットワーク回線１２０を介して監視局１３０に送信する。
なお、監視カメラ１０−１１〜１０−１ｎ、及び監視カメラ１０−ｍ１〜１０−ｍｋは、それぞれを識別することができるカメラ番号等のＩＤ（識別子）を有し、送信する画像データに重畳し、監視局１３０側の表示装置の表示画面には、画像と共に、その画像を取得した監視カメラシステムの番号が表示される。例えば、表示装置の表示画面には、該当するカメラ番号、エリア名、等の情報が重畳され表示される。監視員は、その表示を見ることによって、正しい監視カメラシステムが選択されたか否か判断できる。
また、監視カメラ１０−１１〜１０−１ｎ、・・・、監視カメラ１０−ｍ１〜１０−ｍｋは、それぞれ、監視局１３０の監視端末３３や制御局３２等からの制御信号を受信し、自身の視野範囲（パン角、チルト角、若しくは、ズーム倍率）の変更やその他の制御（レンズ絞り、撮像フレームレート、画像サイズ、等）を行う。
【００１８】
管理サーバ３４は、各監視エリア１１０−１〜１１０−ｍ内の各監視カメラ１０−１１〜１０−１ｎ、・・・、監視カメラ１０−ｍ１〜１０−ｍｋから、それぞれのハブ１１−１〜１１−ｍとネットワーク回線１２０を介して送信されてくる画像データを蓄積する。また、要求されれば、電話回線等の一般回線網を介して、携帯電話、固定電話、等にも、指定されたフォーマットでデータを送信する。
【００１９】
図１において、制御装置３２は、管理サーバ３４または、監視員の操作に応じて複数画面表示装置３１のそれぞれの表示装置３１−１〜３１−８に表示する映像を、ネットワーク回線１２０を介して各監視エリア１１０−１〜１１０−ｍから受信した中から選択して出力する。
例えば、この時、図１では、表示装置３１−１に監視エリア１１０−１のカメラ１０−１１からの映像Ａが表示され、表示装置３１−２に監視エリア１１０−１のカメラ１０−１２からの映像Ｂが表示され、表示装置３１−５に監視エリア１１０−１のカメラ１０−１３からの映像Ｅが表示され、表示装置３１−６に監視エリア１１０−１のカメラ１０−１４からの映像Ｆが表示される。同様に、表示装置３１−３に監視エリア１１０−ｍのカメラ１０−ｍ１からの映像Ｃが表示され、表示装置３１−４に監視エリア１１０−ｍのカメラ１０−ｍ２からの映像Ｄが表示され、表示装置３１−７に監視エリア１１０−ｍのカメラ１０−ｍ３からの映像Ｇが表示され、表示装置３１−８に監視エリア１１０−ｍのカメラ１０−ｍ４からの映像Ｈが表示される。
【００２０】
図３は、本発明の監視カメラシステムにおいて、監視局の存在エリアに監視員が存在するか不在かに応じて、表示装置に映像が表示される様子の一実施例を模式的に示した図である。図３は、監視局に設置されたすべての表示装置３１−１〜３１−８それぞれに、監視員１人が割り当てられた監視カメラシステムである。に映像Ａ〜Ｈがそれぞれ表示されている
【００２１】
図３（ａ）は、監視員３９−１〜３９−８がすべて監視に参加している状態を示す。この時、図示しないセンサ（図１、図２参照）が、監視員の存在を検出して、情報処理部に、表示装置３１−１〜３１−８の監視を担当する監視員３９−１〜３９−８がそれぞれ存在するとした監視員情報を出力し、その監視情報は、情報処理部から表示装置制御部に出力される。表示装置制御部は、この監視員情報に応じて、表示装置３１−１〜３１−８の電源をオン状態とし、かつ、それぞれに、映像Ａ〜Ｈを表示させる。この結果、監視員は、存在エリア内に入っただけで、監視作業を開始することができ、迅速に作業を開始できる。
【００２２】
図３（ｂ）の実施例では、センサが監視員の存在の有無を検出し、センサが監視員の存在を検出した場合には、所定の表示装置の電源をオンしていた。また、監視員の不在を検出した場合には、所定の表示装置の電源をオフしていた。即ち、図３（ｂ）の実施例では、検出された監視員の数に比例して表示装置の電源をオン／オフしていた（図１、図２参照）。
図３（ｂ）は、監視員３９−２、３９−３、３９−６〜３９−８が不在として検出された場合の複数画面表示装置３１の表示の状態を示す図である。センサが検出した不在の監視員情報（若しくは、監視員３９−１、３９−４、３９−５が存在するとした監視員情報）は、情報処理部から表示装置制御部に出力される。表示制御部は、それぞれの存在エリアで検出された監視員３９−１、３９−４、３９−５に割り当てられた表示装置３１−１、３１−４、及び３１−５の電源をオンとし、かつ、そこに表示する映像Ａ、Ｄ、及びＥを表示装置３１−１、３１−４、及び３１−５に出力する。この結果、図３（ｂ）に示すように、複数画面表示装置３１に監視員が存在することが検出された存在エリアに割り当てられた表示装置が電源オンし、割り当てられた映像が表示装置に表示される。なお、検出されなかった存在エリアに対応する表示装置３１−２、３１−３、３１−５〜３１−８の電源はオフにされる。
【００２３】
図３（ｂ）の実施例では、監視員が不在の映像が表示装置に表示されない。即ち、図３（ｂ）の実施例では、監視局には８台の表示装置が設置され、監視員１人当たり１台の表示装置を使い、監視員８人で、８つの監視エリアを監視するように設定されていた。この場合に、監視員が３人検出された時には、３つの監視エリアしか監視できない。
また例えば、監視局には２４台の表示装置が設置され、監視員１人当たり２台の表示装置を使い８つの監視エリアを監視するように設定されていた場合に、監視員が３人検出された時には、６つの監視エリアしか監視できない。
このように、その監視員に割り当てられた映像が監視できない。
もし、スケジュール通り監視員が不在であれば、監視作業に問題が生じないが、監視のスケジュールに無い事態が発生し、監視員が不在となった場合には、監視作業に支障をきたす。
【００２４】
本発明の実施例の図３（ｃ）は、上記の場合の問題を補うため、所定の表示装置の電源をオン／オフするだでけはなく、表示装置が表示する表示形式を自動的に変更する。その結果、監視員が不在の場合でも、不在の監視員が監視すべき映像を監視員が存在する表示装置に表示するものである。
即ち、図３（ｃ）において、監視員不在のために表示されない映像ＢとＣは、表示装置３１−１に画面分割（４分割）されて表示され、監視員３９−１が、４つの画面の映像Ａ、Ｂ、Ｃ、及びＤを同時に監視する。同様に、監視員３９−５は、４つの画面の映像Ｅ、Ｆ、Ｇ、及びＨを同時に監視する。
【００２５】
上述の図３（ｃ）の実施例では、表示装置３１−１に画面分割で映像Ａ、Ｂ、Ｃ、及びＤを同時に表示されているが、同じ映像Ｄは、最重要の監視区域であるので、さらに、表示装置３１−４に、表示装置の表示画面全体に表示されるようにしている。
なお、図３（ｃ）と別の実施例として、図３（ｄ）のように、示装置３１−１に表示されている画面分割で、映像Ｄを表示せず、映像Ａ、Ｂ、及びＣを表示するようにしても良い。
【００２６】
上記図１〜図３の実施例によれば、監視員の存在を複数感知すると、複数の表示装置の電源を投入する。また、好ましくは、監視員の人数に応じ、表示装置に表示する映像方式を自動切換や分割画面に自動で変更する。
その結果、表示装置寿命の向上及び電気使用量の低減を実現できる。
また、監視員人数に適合した映像表示方式を自動で切り替えるため、効率の良い監視作業が可能となる。
【符号の説明】
【００２７】
１０−１１〜１０−１ｎ：監視カメラ、  １０−ｍ１〜１０−ｍｋ：監視カメラシステム、  １１−１：ハブ、  １１−ｍ：ハブ、  ３１：複数画面表示装置、  ３１−１〜３１−８：表示装置、  ３１−９：表示装置卓、  ３２：制御装置、  ３４：管理サーバ、  ３５−１、３５−２：存在エリア、  ３６−１、３６−２：センサ、  ３７：情報処理部、  ３８：表示装置制御部、１１０−１〜１１０−ｍ：監視エリア、  １２０：ネットワーク回線、  １３０：監視局、  ２０１：センサ部、  ２０２：情報処理部、  ２０３：表示装置制御部、  ２０４：表示装置。
【図１】
2011239025.tif 000003
【図２】
2011239025.tif 000004
【図３】
2011239025.tif 000005